(57)【要約】      （修正有）【課題】組み立て、分解自在であって、意匠性、実用性を高めることができるインテリア用品を提供する。【解決手段】複数の構成部品１からなるインテリア用品において、該構成部品１は略直方体状をなし、該構成部品１の両端部には隣接する該構成部品１同士を連結するほぞ及びほぞ穴が形成され、該構成部品１同士は、該ほぞ穴に該ほぞが嵌入されて形成される車知栓穴に差し込まれる車知栓３０により、組み立て、分解自在に緊結されている。【選択図】図２
0003217169.tif 000002
【実用新案登録請求の範囲】
【請求項１】
複数の構成部品からなるインテリア用品において、  該構成部品は、車知栓により、組み立て、分解自在に緊結されていることを特徴とするインテリア用品。
【請求項２】
前記構成部品は、木製であることを特徴とする請求項１記載のインテリア用品。
【請求項３】
前記構成部品が緊結されて、全体として正多角形状になることを特徴とする請求項１又は２記載のインテリア用品。
【請求項４】
前記正多角形状は、正五角形状であることを特徴とする請求項３記載のインテリア用品。
【考案の詳細な説明】
【技術分野】
【０００１】
本考案は、組み立て、分解自在なインテリア用品に関する。
【背景技術】
【０００２】
従来、組み立て、分解自在なインテリア用品として、特許文献１に示す容器２が知られている。この容器２は、第１ユニット素材４、６の端部１４、８に複数個のループ部１０が配置され、ループ部１０の中空部分を連ねて貫通孔１２が形成されている。そして、容器２の組み立て時は、第１ユニット素材４、６の所定の端部１４、８を合わせ、各々のループ部１０を重ねてできる共通の貫通孔１２に棒状連結部材１６を挿通して連結する。また、容器２の分解時は、貫通孔１２に挿通されている棒状連結部材１６を抜き取ることにより、各々の第１ユニット素材４、及び第１ユニット素材６に分解できる。この容器２では、貫通孔１２に棒状連結部材１６を挿通して第１ユニット素材４、６を連結することができるため、組み立てが簡単である。また、不要時には、棒状連結部材１６を抜き取ることにより簡単に分解できるため、占有容積を小さくすることができる。
【先行技術文献】
【特許文献】
【０００３】
【特許文献１】特開２００２−９５５３３号公報（段落〔００１１〕〜〔００１４〕、〔００２１〕、図１〜３）
【考案の概要】
【考案が解決しようとする課題】
【０００４】
しかし、上記従来のインテリア用品としての容器２では、貫通孔１２に挿通された棒状連結部材１６のみにより第１ユニット素材４、６が連結されているため、各第１ユニット素材４、６間は十分に密着されていない。そのため、各第１ユニット素材４、６間にガタが生じ、インテリア用品としての意匠性を欠くだけでなく、実用性に欠ける場合もあり得る。
【０００５】
本考案はかかる従来の問題点に鑑みてなされたものであり、組み立て、分解自在であって、意匠性、実用性を高めることができるインテリア用品を提供するものである。
【課題を解決するための手段】
【０００６】
上記の課題を解決するために、請求項１に係るインテリア用品の特徴は、複数の構成部品からなるインテリア用品において、該構成部品は、車知栓により、組み立て、分解自在に緊結されていることである。  
【０００７】
請求項２に係るインテリア用品の特徴は、前記構成部品は、木製であることである。  
【０００８】
請求項３に係るインテリア用品の特徴は、前記構成部品が緊結されて、全体として正多角形状になることである。  
【０００９】
請求項４に係るインテリア用品の特徴は、前記正多角形状は、正五角形状であることである。
【考案の効果】
【００１０】
請求項１に係るインテリア用品においては、構成部品を連結するものとして、釘や接着剤ではなく車知栓が用いられている。この車知栓は、２つの構成部品をほぞとほぞ穴により接合する、いわゆる「ほぞ継ぎ」の補強として差し込まれるものである。そして、車知栓を差し込めば差し込むほど、２つの構成部品が引き寄せられて緊結される。そのため、このインテリア用品を使用するに際して、各構成部品に生じるガタを抑制することができ、意匠性、実用性が向上する。また、車知栓を引き抜くことにより、２つの構成部品を簡単に切り離すことができる。したがって、請求項１に係るインテリア用品によれば、組み立て、分解自在であって、意匠性、実用性を高めることができる。なお、このインテリア用品は、構成部品を傷つけることなく、何度でも組み立て、分解ができ、差し込めば差し込むほど強固に接合することができる車知栓の性質を理解させる教育的効果もあり、教育玩具等にも応用することができる。  
【００１１】
請求項２に係るインテリア用品においては、構成部品が木製であるため、加工が容易である。また、間伐材を使用することもでき、資源の有効利用を図ることができる。さらに、ヒノキを用いれば、殺菌効果や香りによる癒し効果も期待することができる。
【００１２】
請求項３に係るインテリア用品においては、構成部品が緊結されて、全体として正多角形状になるため、各構成部品が同一形状となり、構成部品を単純化することができる。
【００１３】
請求項４に係るインテリア用品においては、外形が正五角形状である。正多角形の中でも正五角形状は、美しい外形をしており、意匠性が特に優れている。
【図面の簡単な説明】
【００１４】
【図１】実施形態のインテリア用品に係り、フォトスタンドとして使用した場合の正面斜視図。
【図２】実施形態のインテリア用品に係り、フォトスタンドとして使用した場合の背面斜視図。
【図３】実施形態のインテリア用品に係り、構成部品の正面図、底面図。
【図４】実施形態のインテリア用品の一部拡大正面図、底面図。
【図５】実施形態のインテリア用品に係り、図４におけるＶ−Ｖ矢視断面図。
【図６】実施形態のインテリア用品に係り、花台として使用した場合の正面斜視図。
【図７】実施形態のインテリア用品に係り、置物台として使用した場合の正面斜視図。
【考案を実施するための形態】
【００１５】
本考案に係るインテリア用品の実施形態を図面に基づいて以下に説明する。図１、２は、インテリア用品をフォトスタンドとして使用した場合の正面斜視図、及び背面斜視図である。このインテリア用品は、同一形状の５個の木製の構成部品１が組み合わされて五角形を構成している。そして、写真９０が後述する溝２（図３参照）に嵌め込まれている。なお、写真９０は、詳細には、写真やイラスト等が五角形の薄板と五角形のアクリル板等とに挟まれたものである。また、インテリア用品の背面には、５個の車知栓３０が配設されている。この車知栓３０により、５個の構成部品１が互いに緊結されている。また、車知栓３０を抜き取ることにより、簡単に構成部品１に分解することができる。
【００１６】
図３は、構成部品１の正面図、及び底面図である。構成部品１は略直方体の外形であり、構成部品１が組み合わされた場合に、外側になる外側面１ａと内側になる内側面１ｂとが平行になっている。そして、長手方向両端には、外側面１ａとの角度θ１が５４度になるように、接触面１０、２０が形成されている。また、長手方向両端から、略三角形状のほぞ部１１、２１が突設されている。さらに、ほぞ部１１、２１に連続して、ほぞ部２１、１１が嵌合される略三角形状のほぞ穴部１２、２２が凹設されている。ほぞ部１１、２１には車知栓３０に押圧される押圧面１１ａ、２１ａが形成され、ほぞ穴部１２、２２には車知栓３０をガイドするガイド面１３、２３が形成されている。また、内側面１ｂには、写真９０の外周が嵌め込まれる溝２が凹設されている。なお、図３（２）において、構成部品１の溝２を除く長手方向両端部は、構成部品１の中心の回りに１８０度回転させると、重なり合う関係になっている。
【００１７】
図４は、インテリア用品としてのフォトスタンドの一部拡大正面図、及び底面図であり、２つの構成部品１のほぞ穴部１２、２２にほぞ部２１、１１が嵌入され、接触面１０、２０が接合された状態を示している。図４（２）に示すように、内側面１ｂには、車知栓３０が差し込まれる車知栓穴５が形成される。
【００１８】
以上の構成をした構成部品１を組み立てる方法について、図５を用いて説明する。ただし、図５は、図４における切断面をＶ−Ｖ方向から見た図である。まず、図５（１）に示すように、一方の構成部品１（図５における左側の構成部品１）の一端に他方の構成部品１（図５における右側の構成部品１）の他端を矢印Ａで示すように近づける。そして、一方の構成部品１のほぞ穴部１２に他方の構成部品１のほぞ部２１を嵌入すると同時に、他方の構成部品１のほぞ穴部２２に一方の構成部品１のほぞ部１１を嵌入して、接触面１０、２０を接合させると図５（２）に示す状態になる。
【００１９】
次に、図５（２）に示すように、車知栓穴５に車知栓３０を矢印Ｂで示すように差し込む。そして、車知栓３０を差し込めば差し込むほど、ほぞ部２１の押圧面２１ａが車知栓３０の側面３０ａにより矢印Ｃの方向に押圧され、ほぞ部１１の押圧面１１ａが車知栓３０の側面３０ｂにより矢印Ｄの方向に押圧される。ここで、押圧面２１ａが矢印Ｃの方向に押圧されると、ほぞ部２１が矢印Ｃの方向に押圧され、他方の構成部品１は一方の構成部品１の方向に押されることになる。また、押圧面１１ａが矢印Ｄの方向に押圧されると、ほぞ部１１が矢印Ｄの方向に押圧され、一方の構成部品１は他方の構成部品１の方向に押されることになる。なお、押圧面１１ａ、２１ａとガイド面１３、２３とは段差を有しているため、車知栓３０の側面３０ａ、３０ｂがガイド面１３、２３を押圧することはない。こうして、車知栓３０を差し込めば差し込むほど、２つの構成部品１は引き寄せられて固く連結されることになる。
【００２０】
図６は、インテリア用品を花台として使用した場合の正面斜視図である。構成部品１の溝２には、適切な厚みを有する五角形の支持板３が嵌め込まれている。そして、支持板３の上に花瓶９１を載せれば、このインテリア用品を花台として使用することができる。なお、支持板３の外周部を加工して、構成部品１の表面と面一にすれば意匠性がより向上する。
【００２１】
図７は、インテリア用品を置物台として使用した場合の正面斜視図である。支持板３については、図６の場合と同様である。支持板３の上に置物９２を載せれば、このインテリア用品を置物台として使用することができる。
【００２２】
実施形態に係るインテリア用品においては、構成部品１を連結するものとして、釘や接着剤ではなく車知栓３０が用いられている。この車知栓３０は、２つの構成部品１をほぞとほぞ穴により接合する、いわゆる「ほぞ継ぎ」の補強として差し込まれるものである。そして、車知栓３０を差し込めば差し込むほど、２つの構成部品１が引き寄せられて緊結される。そのため、このインテリア用品を使用するに際して、各構成部品１に生じるガタを抑制することができ、意匠性、実用性が向上する。また、車知栓３０を引き抜くことにより、２つの構成部品２を簡単に切り離すことができる。したがって、このインテリア用品によれば、組み立て、分解自在であって、意匠性、実用性を高めることができる。なお、このインテリア用品は、構成部品１を傷つけることなく、何度でも組み立て、分解ができ、差し込めば差し込むほど強固に接合することができる車知栓３０の性質を理解させる教育的効果もあり、教育玩具等にも応用することができる。  
【００２３】
また、このインテリア用品においては、構成部品１が木製であるため、加工が容易である。構成部品１として、間伐材を使用することもでき、資源の有効利用を図ることができる。また、ヒノキを用いれば、殺菌効果や香りによる癒し効果も期待することができる。  
【００２４】
さらに、このインテリア用品においては、構成部品１が緊結されて、全体として正五角形状になるため、各構成部品１が同一形状となり、構成部品１を単純化することができる。また、正多角形の中でも正五角形状は、美しい外形をしており、意匠性が特に優れている。
【００２５】
以上、本考案のインテリア用品を実施形態に即して説明したが、本考案はこれらに制限されるものではなく、本考案の技術的思想に反しない限り、適宜変更して適用できることはいうまでもない。たとえば、本実施形態においてはインテリア用品として正五角形状のものを採用したが、それ以外の形状のもの、例えば、四角形状、六角形状、円状、楕円状のものでもよい。
【符号の説明】
【００２６】
１…構成部品、１ａ…外側面、１ｂ…内側面、２…溝、３…支持板、５…車知栓穴、１０、２０…接触面、１１、２１…ほぞ部、１１ａ、２１ａ…押圧面、１２、２２…ほぞ穴部、１３、２３…ガイド面、３０…車知栓、９０…写真、９１…花瓶、９２…置物、θ１…角度。
【図１】
0003217169.tif 000003
【図２】
0003217169.tif 000004
【図３】
0003217169.tif 000005
【図４】
0003217169.tif 000006
【図５】
0003217169.tif 000007
【図６】
0003217169.tif 000008
【図７】
0003217169.tif 000009
【手続補正書】
【提出日】平成30年5月16日(2018.5.16)
【手続補正１】
【補正対象書類名】実用新案登録請求の範囲
【補正対象項目名】全文
【補正方法】変更
【補正の内容】
【実用新案登録請求の範囲】
【請求項１】
複数の構成部品からなるインテリア用品において、
該構成部品は略直方体状をなし、該構成部品の両端部には隣接する該構成部品同士を連結するほぞ及びほぞ穴が形成され、
該構成部品同士は、該ほぞ穴に該ほぞが嵌入されて形成される車知栓穴に差し込まれる車知栓により、組み立て、分解自在に緊結されていることを特徴とするインテリア用品。
【請求項２】
前記構成部品は、木製であることを特徴とする請求項１記載のインテリア用品。
【請求項３】
前記構成部品が緊結されて、全体として正多角形状になることを特徴とする請求項１又は２記載のインテリア用品。
【請求項４】
前記正多角形状は、正五角形状であることを特徴とする請求項３記載のインテリア用品。
【手続補正２】
【補正対象書類名】明細書
【補正対象項目名】０００６
【補正方法】変更
【補正の内容】
【０００６】
上記の課題を解決するために、請求項１に係るインテリア用品の特徴は、複数の構成部品からなるインテリア用品において、  該構成部品は略直方体状をなし、該構成部品の両端部には隣接する該構成部品同士を連結するほぞ及びほぞ穴が形成され、
該構成部品同士は、該ほぞ穴に該ほぞが嵌入されて形成される車知栓穴に差し込まれる車知栓により、組み立て、分解自在に緊結されていることである。